(57)【要約】  本開示は、受信機ユニット、制御ユニット及び機能ユニットを有する個人衛生装置を有する個人衛生システム、並びに送信機ユニットを有する別個の制御装置に関する。制御ユニットは、機能ユニットを少なくとも第１機能モード及び第１機能モードとは異なる第２機能モードで駆動するように構成され、制御ユニットは、制御ユニットがデフォルト状態にある間に第２機能モードの提供を禁止するように更に構成され、別個の制御装置の送信機ユニットは、別個の制御装置がデフォルト制御モードから第１制御モードに切り替えられたときに、少なくとも第１信号を個人衛生装置の受信機ユニットに送信するように構成される。更に、制御ユニットは、第１信号が受信機ユニットによって受信されるときにデフォルト状態から第１状態に切り替えられるように構成され、第１状態では、制御ユニットは少なくとも第１許容期間中第２機能モードの提供を許可するように構成される。
2018527045.tif 000002
【特許請求の範囲】
【請求項１】
個人衛生システムであって、
受信機ユニット、制御ユニット及び機能ユニットを有する個人衛生装置と、
送信機ユニットを有する別個の制御装置と、を備え、
前記制御ユニットは、少なくとも第１機能モード及び前記第１機能モードとは異なる第２機能モードで前記機能ユニットを駆動するように構成され、且つ、前記制御ユニットは、前記制御ユニットがデフォルト状態にある間、前記第２機能モードの提供を禁止するように更に構成され、
前記別個の制御装置の前記送信機ユニットは、前記別個の制御装置がデフォルト制御モードから第１制御モードに切り替えられたときに前記個人衛生装置の前記受信機ユニットに少なくとも第１信号を送信するように構成され、
前記制御ユニットは、前記第１信号が前記受信機ユニットによって受信されたときに前記デフォルト状態から第１状態に切り替えられるように構成され、前記第１状態では、前記制御ユニットは少なくとも第１許容期間中前記第２機能モードの提供を許可するように構成される、個人衛生システム。
【請求項２】
前記制御ユニットは、前記制御ユニットが前記第１状態にある間、前記第１機能モードの前記提供を禁止するように構成される、請求項１に記載の個人衛生システム。
【請求項３】
前記別個の制御装置は、少なくとも第１命令コマンドを受信するための外部インタフェースユニットを備え、前記別個の制御デバイスは、前記第１命令コマンドが少なくとも１つの所定の命令コマンドと一致する場合に、前記第１制御モードに切り替えられるように構成される、請求項１又は２に記載の個人衛生システム。
【請求項４】
前記外部インタフェースユニットは、
別個の命令要素から前記第１命令コマンドの少なくとも一部を読み取るように構成されたリーダユニット、
ネットワークサーバなどの遠隔のネットワークユニットから前記第１命令コマンドの少なくとも一部を受信するためのネットワーク接続ユニット、又は、
ユーザ入力を受信し、少なくとも前記第１命令コマンドの一部として前記ユーザ入力を使用するように構成されたユーザインタフェースユニット、のうちの少なくとも１つを備える、請求項３に記載の個人衛生システム。
【請求項５】
前記別個の制御装置は、ユーザ入力を受信し、前記外部インタフェースユニットによる受信動作をトリガするように構成された入力要素を備える、請求項３又は４に記載の個人衛生システム。
【請求項６】
少なくとも前記第２機能モードの利用可能性を示すインジケータ要素を更に備える、請求項１〜５のいずれか一項に記載の個人衛生システム。
【請求項７】
前記別個の制御装置は、前記制御ユニットが前記機能ユニットを前記第２機能モードに駆動することを可能にする前記第２機能モードに関する情報を送信するように構成され、特に前記第１信号はこの情報を含む、請求項１〜６のいずれか一項に記載の個人衛生システム。
【請求項８】
前記別個の制御装置の前記送信機ユニットは、前記別個の制御ユニットが前記第１制御モードにあり、第１条件が満たされたときに、前記個人衛生装置の前記受信機ユニットに少なくとも第２信号を送信するように構成され、前記制御ユニットは、前記第２信号に応じて、前記機能ユニットを前記少なくとも第１及び第２機能モードのうちの１つに、特に変更不可能に、駆動するように、構成される、請求項１〜７のいずれか一項に記載の個人衛生システム。
【請求項９】
前記第２信号は、所定の時間長に広がり、特に前記所定の時間長は、前記機能ユニットが前記制御ユニットによって駆動される処置期間と一致する、請求項８に記載の個人衛生システム。
【請求項１０】
前記第２信号は、前記機能ユニットを前記第２機能モードに駆動するための駆動情報を含み、前記制御ユニットは、前記駆動情報を直接使用するように構成される、請求項９に記載の個人衛生システム。
【請求項１１】
前記個人衛生装置は、第２条件が満たされたときに前記別個の制御装置の前記受信機ユニットに少なくとも第３信号を送信するように構成された送信機ユニットを有し、特に、前記第２条件は前記個人衛生装置がスイッチオンされたときに満たされ、前記別個の制御装置は、前記第３信号が受信されたときに前記第１条件が満たされたとみなすように構成される、請求項８〜１０のいずれか一項に記載の個人衛生システム。
【請求項１２】
前記別個の制御装置は少なくとも第１信号シーケンスを記憶するための記憶ユニットを備え、前記別個の制御装置の前記送信機ユニットは、第３条件が満たされたときに、前記第１信号シーケンスの連続するメンバを前記個人衛生装置に送信するように構成される、請求項１〜１１のいずれか一項に記載の個人衛生システム。
【請求項１３】
前記別個の制御装置及び／又は前記個人衛生装置は、少なくとも前記第１信号に応じて、任意選択で前記第２信号又は前記第１信号シーケンスの現在のメンバに応じて、情報を表示するように構成されたディスプレイを備える、請求項１〜１２のいずれか一項に記載の個人衛生システム。
【請求項１４】
前記別個の制御デバイス又は前記制御ユニットは、前記個人衛生装置の使用情報に応じて、少なくとも前記第２機能モードの少なくとも１つのパラメータを設定するように構成される、請求項１〜１３のいずれか一項に記載の個人衛生システム。
【請求項１５】
前記個人衛生システムは、処置期間の少なくとも一部の間に少なくとも第１使用パラメータを監視するための少なくとも第１センサユニットを備える、請求項１〜１４のいずれか一項に記載の個人衛生システム。
【発明の詳細な説明】
【技術分野】
【０００１】
本発明は、個人衛生装置及び別個の制御装置を備えた個人衛生システムに関し、具体的には、個人衛生装置によって提供される機能モードを制御することに関する。
【背景技術】
【０００２】
個人衛生システムは、個人衛生装置（例えば、電動歯ブラシ）及び別個の制御装置（例えば、特定のモバイルアプリケーションがインストールされたスマートフォン）を備えることができることが知られている。個人衛生装置のいくつかの特性を制御するために、例えば、個人衛生装置の機能モードを無効にするために、又は個人衛生装置のモードスイッチを介して選択され得る機能モードの順序を変更するために、別個の制御装置を使用することができることが知られている。
【発明の概要】
【発明が解決しようとする課題】
【０００３】
本開示の目的は、公知の個人衛生システムよりも改善された、又は少なくとも代替物を表す個人衛生システムを提供することである。
【課題を解決するための手段】
【０００４】
一態様によれば、受信機ユニット、制御ユニット及び機能ユニットを有する個人衛生装置、並びに送信機ユニットを有する別個の制御装置を備えた個人衛生システムが提供される。制御ユニットは、機能ユニットを少なくとも第１機能モード及び第１機能モードとは異なる第２機能モードで駆動するように構成され、制御ユニットは、制御ユニットがデフォルト状態にある間に第２機能モードの提供を禁止するように更に構成され、別個の制御装置の送信機ユニットは、別個の制御装置がデフォルト制御モードから第１制御モードに切り替えられたときに、少なくとも第１信号を個人衛生装置の受信機ユニットに送信するように構成される。更に、制御ユニットは、第１信号が受信機ユニットによって受信されるときにデフォルト状態から第１状態に切り替えられるように構成され、第１状態では、制御ユニットは少なくとも第１許容期間中第２機能モードの提供を許可するように構成される。
【図面の簡単な説明】
【０００５】
本開示は、例示的実施形態の詳細な説明及び図面の参照により、更に明瞭にされる。図面において
【図１】個人衛生装置及び別個の制御装置を備えた個人衛生システムの概略図であり、
【図２】別個の制御装置と個人衛生装置の間の相互作用のフローの一例を示す図である。
【発明を実施するための形態】
【０００６】
本開示は、個人衛生装置及び別個の制御装置を備えた個人衛生システムに関する。簡単に言えば、個人衛生装置は、制御ユニットによって制御される機能ユニットを介して２つの異なる機能モードを提供できるように構成される。これは、制御ユニットが、機能ユニットを制御して個人衛生装置のデフォルトモードである第１機能モードを提供することができ、機能ユニットを制御して第２機能モードを提供することができるように構成されていることを意味する。デフォルト状態では、制御ユニットは、第２機能モードの提供を禁止するように構成される。例えば、個人衛生装置は、機能ユニットによって提供される機能モードを変更することができるモードスイッチを有することができるが、デフォルトモードでは、モードスイッチを押すことによって、第１機能モードのみが許可されるので、提供されるモードは変更されない。ここで、制御ユニットは、それがデフォルト状態にあるときに、機能ユニットを制御して第２機能モードを提供するために利用可能な駆動情報を有する必要はなく、制御ユニットは、基本的に、第１機能モードの提供と第１機能モードとは異なる第２機能モードの提供を切り替えることを可能にする構造、並びに基本的に、機能ユニットを制御して第１及び第２機能モードを提供することを可能にする構造、を有することだけが必要であることがわかる。上述にかかわらず、いくつかの実施形態では、制御ユニットは、機能ユニットを制御して第２機能モードを提供するための駆動情報を備え、例えば、制御ユニットは、そのような駆動情報が記憶される記憶ユニットを備えてもよい。非限定的な例において、個人衛生装置は電動歯ブラシであり、機能ユニットは、機能ヘッド（ここでは歯ブラシヘッド）を所与の動作（すなわち、第１機能モード）、例えば、特定の第１周波数及び特定の第１振幅で提供される振動回転、に駆動するための駆動装置（例えば、駆動軸を有するモータ、ここで駆動軸はギアを介して駆動軸がモータに結合されてもよい）を備える。機能ヘッドを異なる動作に駆動することによって第２機能モードを提供することができ、例えば、振動回転の周波数が変更されてもよく、振幅が変更されてもよく、又は振幅及び／若しくは周波数が時間依存性であってもよい。又は、第２機能モードでは、振動回転が生じる回転軸の方向における突き出し動作のような更なる動作構成要素が追加されてもよい。あるいは又は更に、第１機能モードと比較して、第２機能モードに関して更に動作パラメータを変更してもよい。一般に、機能ユニットは、ディスプレイユニット、オーディオ及び／又はビデオユニット、照明ユニット（少なくとも１つのＬＥＤなど）、触覚応答ユニット、センサユニットなど、個人衛生装置の機能を提供する任意のユニットであってもよい。機能ユニットは、少なくとも２つのこのようなユニットの組み合わせであってもよく（次いでそれは機能ユニットのサブユニットを形成する）、例えば、機能ユニットは、第１サブユニットとしての駆動ユニット及び第２サブユニットとしてのディスプレイユニットを備えてもよい。
【０００７】
一般に、個人衛生装置は、個人衛生処置（例えば、上述のブラシヘッド、マッサージヘッド、脱毛ヘッドなど）を提供するための処置ヘッドを備えていてもよく、機能ユニットは、次いで、処置ヘッドに結合されて処置ヘッドを機能モードに駆動することができる。
【０００８】
制御ユニットは、機能ユニットを制御して、制御ユニットがデフォルト状態から第１状態に切り替えられると、第２機能モードを提供することを可能にされている。いくつかの実施形態では、制御ユニットをデフォルト状態から第１状態に切り替えることは、制御ユニットが機能ユニットを制御して第２機能モードを提供することを可能にするために必要な情報を提供することを含む。
【０００９】
個人衛生システムは、少なくとも第１許容期間中に第２機能モードを提供するように構成される。第１許容期間は、制御ユニットが第１状態に切り替えられた後の３時間、１日（２４時間）、２週間、３ヶ月などの絶対時間スパンであってもよい。その後、制御ユニットは、第１許容時間が経過したときにデフォルト状態に自動的に戻ってもよい。いくつかの実施形態では、第１許容時間は、第２機能モードを使用する、１０分、１時間、５時間などの、相対時間スパンである。
【００１０】
いくつかの実施形態では、制御ユニットは、制御ユニットが第１状態にある間、第１機能モードの提供を禁止するように構成される。
【００１１】
一般に、個人衛生装置は、制御ユニットのデフォルト状態において、複数の許容される機能モードを有することができ、例えば、制御ユニットは、機能ユニットを制御して、第１機能モードを提供し、第１機能モードとは異なりかつ第２機能モードとは異なる他の機能モードを提供するように構成され得る。いくつかの実施形態では、制御ユニットは、デフォルト状態にある間に３つ、４つ、５つなどの異なる機能モードを許可することができる。更に、制御ユニットは、第１状態にあるときに第２機能モードだけでなく、第１機能モードとは異なり（デフォルト状態で許可され得る任意の他の機能モードとは異なる）かつ第２機能モードとは異なる他の機能モードを許可するように構成され得る。いくつかの実施形態では、制御ユニットは、第２状態又は更に他の状態に更に切り替えられ得る。そのような第２状態（又は他の状態）では、制御ユニットは、第１機能モード及び第２機能モードとは異なる少なくとも第３機能モードを許可するように構成され得る。次いで、第３機能モードは、第１許容期間と長さが同一であっても異なってもよい第２許容期間に対して許可されてもよく、第１及び第２許容期間は少なくとも部分的に重複してもよい。いくつかの実施形態では、制御ユニットは、機能ユニットを制御して第１、第２及び第３機能モードを提供するように構成されるが、デフォルト状態では第１機能モードのみが許可される。次いで、第１及び第２状態で許可されるモードは、利用可能な機能モードのリストから選択されてもよく、第２機能モードは第１状態で可能にされ、第２及び第３機能モードは第２状態で可能にされる。そのような実施形態では、利用可能な機能モードの異なるサブセットが、制御ユニットの異なる状態において可能にされる。
【００１２】
いくつかの実施形態では、機能ユニットは、少なくとも２つのサブユニット（例えば、駆動ユニット及びセンサユニット）を備え、次いで第１モードは無効化された第２サブユニットを備え、一方、第２サブユニットは、第１サブユニットの制御方法を必ずしも変更することなく、第２モードで可能にされる（例えば、第２モードでは、駆動ユニットは第１モードと同じ駆動を提供するが、センサユニットは第２モードでスイッチオンされ、例えば、現在処置されている歯の表面上の残留プラークの量などの衛生処置の質に関する情報を提供する）。第１及び第２機能モード（及び任意の他の機能モード）は、次いで、それぞれ、サブユニットのモードの異なる組み合わせであってもよい。
【００１３】
本開示によれば、別個の制御装置は、制御ユニットをデフォルト状態から第１状態に切り替えるように構成される。そうするために、別個の制御装置は、送信機ユニットを介して個人衛生装置の受信機ユニットに第１信号を送信するように構成される。別個の制御装置は、デフォルト制御モードから第１制御モードに切り替えられた後に第１信号を送信するように構成され得る。以下に更に詳細に説明するように、別個の制御装置のそのデフォルト制御モードから第１制御モードへの切り替えは、別個の制御装置が、所定の命令コマンドと同一の（すなわち、一致する）第１命令コマンドを受信するとトリガされる。別個の制御装置は、別個の制御装置がデフォルト制御モードから第１制御モードに切り替えられた直後に、第１信号を送信するように構成される必要はないことに留意されたい。例えば、別個の制御装置は、更なる条件が満たされるまで、第１信号の送信を延期するように構成されてもよい。これについては以下でより詳細に説明する。個人衛生装置について説明したように、別個の制御装置は更に第２制御モードなどに切り替えられてもよく、この場合、別個の制御装置は個人衛生装置に別の信号を送信し、それによって制御ユニットは、例えば、上述の第２状態などに、切り替えられる。
【００１４】
第１信号は、第２機能モードが可能にされべきであることを示すフラグのみを備えることができる。いくつかの実施形態では、第１信号は、第２機能モードが可能にされている第１許容時間の長さに関する情報を含む。いくつかの実施形態では、第１信号は、第２機能モードに関する情報（例えば、制御ユニットに第２機能モードを提供するように機能ユニットを制御させる駆動情報）を含む。
【００１５】
別個の制御装置は、第１条件が満たされたときに第２信号を個人衛生装置に（送信機ユニットを介して）送信するように構成され得る。次いで、第２信号は、個人衛生装置の制御ユニットをトリガして機能ユニットを変更不可能に制御し、利用可能な機能モードのうちの１つを提供するようにする。別個の制御装置が個人衛生装置がスイッチオンされたことを示すと、第１条件が満たされ得る。例えば、いくつかの実施形態では、別個の制御装置は、スイッチオンされた装置の音に基づいて個人衛生装置がスイッチオンされたときを決定することができる音声認識ユニットを備えることができる。いくつかの実施形態では、個人衛生装置は送信機ユニットを備え、第２条件が満たされると、例えば、個人衛生装置がスイッチオンされるとき、第３信号を別個の制御装置に送信する。次いで、別個の制御装置は、第３信号が別個の制御装置の受信機ユニットを介して受信されたときに、第１条件を満たしたとみなすように構成され得る。
【００１６】
いくつかの実施形態では、別個の制御装置は、第１信号シーケンスを記憶するための記憶ユニットを備える。別個の制御装置は、第３条件が満たされるたびに、第１信号シーケンスの連続するメンバを送信するように構成されてもよい。いくつかの実施形態では、別個の制御装置は、第３条件が満たされたときに第１条件を満たしたとみなすように構成され、次いで第１信号シーケンスの各次のメンバが第２信号として送信される。第１信号シーケンスのメンバは、使用される機能モードに関する情報を含むことができる。これは、特定の標的に対して最適化された一連の個人衛生処置操作を自動的に提供することを可能にする。例えば、ユーザは、歯を白くするために最適化されたアップグレード（電動歯ブラシである個人衛生装置）を購入してもよく、次いで、別個の制御装置は個人衛生装置を制御して、より白い歯に達するように最適化された一連の機能モードが使用される。
【００１７】
上記の個人衛生システムは、消費者が単一の機能モードのみを提供する「標準」デバイスを購入することを可能にし、消費者は、例えば、別の個人衛生装置を購入する必要なく、後の段階でアップグレードパッケージを購入することによって、個人衛生装置を更にアップグレードすることができる。第１許容時間に関連して説明したように、少なくとも１つの更なる機能モードを有する個人衛生装置への潜在的なアップグレードのための短い試用期間も提供することができる。例えば、無料試用として、消費者がそれぞれのアップグレードを購入する前に最初に第２機能モードをテストすることを可能にする。
【００１８】
本明細書に記載の個人衛生装置は、電動歯ブラシ、電動フロシング装置、電動口腔イリゲータ、電気脱毛器、電気マッサージ器又はエクスフォリエータ、電気シェーバ又はトリマなどであってもよい。別個の制御装置は、個人衛生装置を制御するために特に設けられた専用装置、又は個人衛生装置を制御するための特定のプログラムを備えた汎用装置、例えば、スマートフォン、タブレットコンピュータ、ラップトップなど、であってもよい。専用の「モバイルアプリケーション」は、スマートフォンなどの汎用装置のプログラムとして機能することができる。
【００１９】
いくつかの実施形態では、別個の制御装置は、少なくとも第１命令コマンドを受信するように構成された外部インタフェースユニットを備え、別個の制御装置は、次いで、第１命令コマンドが所定の命令コマンドと一致すると、デフォルト制御モードから第１制御モードに切り替わるように構成される。具体的には、外部インタフェースユニットは、（ａ）別個の命令要素から第１命令コマンドの少なくとも一部を読み取るように構成されたリーダユニット、（ｂ）ネットワークサーバのような遠隔のユニットから少なくとも第１命令コマンドの一部を受信するように構成されたネットワーク接続ユニット、（ｃ）ユーザ入力を受信し、ユーザ入力を少なくとも第１命令コマンドの一部として使用するように構成されたユーザインタフェースユニット、のうちの少なくとも１つを備えてもよい。外部インタフェースユニットは、前述のユニットの少なくとも２つの組み合わせを含んでもよい。いくつかの実施形態では、少なくとも１つの前述のユニットが存在し、完全な第１命令コマンドを受信するように構成されているが、いくつかの実施形態では、少なくとも２つのユニットが存在し、それらの少なくとも２つが、各ユニットが第１命令コマンドの１つの異なる部分を受信するように配置されて、少なくとも２つの部分が互いに完全な第１命令コマンドを生成する。
【００２０】
リーダユニットは、カメラ、（バーコード）スキャナ、撮像装置、無線周波数リーダなどによって実現されてもよく、リーダユニットは、リーダユニットとして実行する特定のプログラミングを備えることができ、例えば、カメラは、ＱＲコードを読み取って解釈するための特定のプログラムを備えることができる。
【００２１】
ネットワーク接続ユニットはネットワーク接続チップを備えてもよく、ネットワーク（例えば、ローカルエリアネットワーク−ＬＡＮ又は無線ＬＡＮ（すなわちＷＬＡＮ）、ＷＡＮなど）への有線又は無線接続を確立するか、又は遠隔のネットワーク装置（例えば、例えば個人衛生装置の供給者からの遠隔のサーバユニット）との接続を可能にすることができるように、インターネットと直接接続する。
【００２２】
ユーザインタフェースユニットは、ユーザが情報、例えば、英数字文字列、を入力することを可能にするキーボード及び／又はタッチセンサ式ディスプレイを備えることができる。
【００２３】
外部インタフェースユニットは、第１命令コマンドを受信するために使用されてもよく、第１命令コマンドは、次いで、少なくとも１つの所定の命令コマンドと比較されてもよい。例えば、ユーザは、別個の命令要素、例えば、ＱＲコード又は英数字文字列などの第１命令コマンドの表示を備えた紙片を備えた、個人衛生装置のアップグレードを購入することができる。次いで、リーダ装置は、第１命令コマンドの表示を読み取って解釈し、したがって、第１命令コマンドを決定することができる。ユーザは、第１命令コマンド（例えば英数字文字列）をユーザインタフェースユニットに入力することができる。次いで、別個の制御ユニットが、第１命令コマンドと所定の命令コードを比較して、第１命令コマンドがそれぞれの制御モードを解除するための所定の命令コマンドと一致する場合、それ自体をデフォルト制御モード（又はその現在の制御モード）から異なる制御モード（例えば、第１制御モード）に切り替えるように、配置され得る。いくつかの実施形態では、比較は遠隔のサーバのような遠隔のネットワークユニットによって行われる。そのような実施形態では、別個の制御装置は、ネットワーク接続ユニットを介して遠隔ネットワークユニットに第１命令コマンドを送信し、遠隔ネットワークユニットは、比較を実行して確認信号を返信する（例えば、別個の制御装置が切り替えられるべき制御モードに関する情報とともに、潜在的には、それぞれの機能モードに関する更なる情報−例えば、第２機能モード、例えば、第２機能モードの駆動情報もともに）か、又は第１命令コマンドが有効でない場合に無効化信号を返信する。
【００２４】
アップグレードパッケージを購入するとき、消費者は、第１命令コマンドの一部の表示又は完全な第１命令コマンドの表示を受信することができる。例えば、アップグレードパッケージは、特定の交換可能な個人衛生処置ヘッド（例えば、アップグレードパッケージが電動歯ブラシの歯のホワイトニングに関係する場合のホワイトニングブラシヘッド）、及びスクラッチオフされる層の下に隠された第１命令コマンド（の一部）の表示を備えたスクラッチオフ部分（スクラッチオフ層を有する実施形態は例としてのみ与えられており、限定的に解釈されるものではない）を備えてもよい。例えば、既述のように、第１命令コマンド（の一部）の表示は、英数字文字列、バーコード、ＱＲコードなどであってよく、これらは例えばリーダユニットによって（例えばスクラッチオフ層が除去された後に）読み取られ得る。いくつかの実施形態では、第１命令コマンドの一部はアップグレードパッケージによって提供され、別の部分は、ゆるい挿入物として、又は製品リーフレットの一部として、個人衛生装置と一緒に提供されてもよい（例えば、第１及び他の命令コマンドの別の部分は、製品リーフレットに印刷された表示による英数字コード又はバーコードなどとして提供されてもよい）。別個の制御装置を第１制御モードに設定するために、ユーザは、次いで、リーダユニットを介してアップグレードパッケージから第１命令コマンドの第１部分を読み取る必要があり、別の部分は、ユーザインタフェースユニットを介して入力される必要がある。
【００２５】
別個の制御装置は入力要素（例えば、ボタン）を備えることができ、それによって外部インタフェースユニットの受信動作（例えば、カメラによって撮影された画像などのリーダユニットによる読み取り動作）がトリガされる。
【００２６】
個人衛生システムは、少なくとも第２機能モードの利用可能性を示すためのインジケータ要素（例えば、ＬＥＤ）を備えることができる。
【００２７】
いくつかの実施形態では、個人衛生システムは、ディスプレイ（例えば、個人衛生装置又は別個の制御装置で実現される）を備える。次いで、ディスプレイは、現在の機能モードとともに最適に使用されるべき練り歯磨きの名前、又は歯磨き動作後にフロシングを適用するべきであるというヒントを表示するなど、特定のヒント又は情報を表示するように構成されてもよい。
【００２８】
いくつかの実施形態では、別個の制御装置又は制御ユニットは、個人衛生装置の使用情報に応じて、少なくとも第２機能モードの少なくとも１つのパラメータを設定するように構成される。例えば、個人衛生システムは、第２機能モードのそれぞれのパラメータとして、個人衛生処置ごとに所与のユーザの典型的な使用時間を測定するタイマを備えることができる。この時間期間が、平均でデフォルトの処置時間より長いか又は短い場合、第２機能モードのそれぞれのパラメータとしてのデフォルト処置時間は、所与のユーザによって使用される平均処置時間にリセットされ得る。
【００２９】
いくつかの実施形態では、個人衛生装置は、少なくとも１つの使用パラメータを監視するための少なくとも第１センサユニットを備える（例えば、そのような使用パラメータは、個人衛生装置のヘッドが処置領域に対して押し付けられる圧力であってもよく、例えば処置ヘッドはブラシヘッドであってもよく、処置領域は次いでユーザの歯であってもよい）。個人衛生システムは、第１センサユニットによって生成された使用情報に応じて、第２機能モードの少なくとも１つのパラメータを設定するように構成され得る。例えば、使用パラメータが印加圧力である場合、第２機能モードのそれぞれのパラメータとしての持続時間は、印加圧力に依存して設定されてもよい。例えば、印加圧力が低すぎると、デフォルトの処置時間の増加をもたらし得る。
【００３０】
図１は、本開示による個人衛生システム１の例示的な実施形態の概略図である。図１は、任意選択の特徴のいくつかの描写を含み、これらの任意選択の特徴が限定的なものとして解釈されるべきではないことは明らかであろう。個人衛生システム１は、個人衛生装置１００及び別個の制御装置２００を備える。更に、個人衛生システム１の一部とはみなされない別個の命令要素３００及び遠隔ネットワークユニット４００が示されている。
【００３１】
個人衛生装置１００は、本明細書では、特に置換可能な処置ヘッド１０及びハンドル２０を備える。本明細書では、処置ヘッドは、回転軸Ｒの周囲に少なくとも振動回転Ｍ（ダブル矢印で示す）に駆動され得る処置要素１１を備える。処置要素１１は、回転軸Ｒの方向に沿って突き出し動作Ａ（ダブル矢印でも示す）に追加的又は代替的に駆動され得る。
【００３２】
個人衛生装置１００は、受信ユニット１１０、制御ユニット１２０、及び機能ユニット１３０を備える。個人衛生装置１００の他の任意選択の特徴も示されている：送信機ユニット１１１、制御ユニット１２０に接続されたメモリユニット１２５、動作中に個人衛生装置１００の使用パラメータを監視するための第１センサユニット１３５、２つのインジケータ要素１４０及び１４１、オン／オフスイッチ１５０、モードスイッチ１５１並びにディスプレイ１６０。送信機ユニット１１１が存在する場合、受信機ユニット１１０及び送信機ユニット１１１はともにトランシーバユニットとして実現され得る。
【００３３】
個人衛生装置１００は本明細書では電動歯ブラシとして示されているが、これは非限定的であるとみなされる。特に、例示的な処置ヘッド１０も非限定的であるとみなされるべきではなく、処置ヘッド１０は交換不可能なものとして実現されてもよく、処置ヘッド１０全体が、特に前述の動きと異なり得る特定の動作に駆動されてもよい。
【００３４】
別個の制御装置２００は、送信機ユニット２１０、及び受信機ユニット２１１、外部インタフェースユニット２２０（リーダユニット２２１、ネットワーク接続ユニット２２２、又はユーザインタフェースユニット２２３若しくは２２４）、入力要素２２５（受信動作をトリガするために外部インタフェースユニット２２０に接続することができる）、及び／又は記憶ユニット２３０のような他の任意選択の特徴を備える。受信機ユニット２１１が存在する場合、送信機ユニット２１０及び受信機ユニット２１１はともにトランシーバユニットとして実現され得る。ユーザインタフェースユニット２２３、２２４−存在する場合−は、キーボード又はボタンのアレイ２２３又はタッチセンサ式ディスプレイ２２４（その上に仮想キー、ボタン、スライダなどが図示され得る）の少なくとも１つとして実現されてもよい。
【００３５】
処理の例示的なシーケンスとして、可能な動作モードを説明する。図２を参照すると、処理（又はステップ）のシーケンスが概略的に示されている。第１に、第１機能モードのみが提供され得るデフォルト状態にある制御ユニットを有する個人衛生装置１００が提供される（図２の処理５００）。更に、個人衛生装置１００との少なくとも一方向通信（通信方向は別個の制御装置２００から個人衛生装置１００に向かう）のための別個の制御装置２００が設けられており、別個の制御装置２００は、デフォルト制御モードにある（図２の処理６００）。別個の制御装置２００（デフォルト制御モードにある）は、外部インタフェースユニット２２０を介して第１命令コマンドＩＣ１を受信する。例えば、ユーザは、別個の命令要素３００（例えば、第１命令コマンド３１０（の一部）の表示が印刷されたカートン片）の手段によってリーダユニット２２１に提示され得る第１命令コマンド３１０（の一部）の表示の光学的読み取りなど、外部インタフェースユニット２２０の受信動作をトリガする入力要素２２５を押すことができる−図２の処理６０１参照。別個の制御ユニット２００は、第１命令コマンドＩＣ１を受信した後、第１命令コマンドＩＣ１を個人衛生装置１００のアップグレードに割り当てられた少なくとも１つの所定の命令コマンドと比較する。第１命令コマンドと所定の命令とが一致すると、別個の制御装置２００は、デフォルト制御モードから第１制御モードに切り替わる。第１制御モードに切り替わると、別個の制御装置２００は、第１信号Ｓ１を送信機ユニット２１０を介して個人衛生装置１００の受信機ユニット１１０に送信するようにトリガされる（図２の処理６０２）。第１信号Ｓ１は、次いで、個人衛生装置の受信機ユニット１１０によって受信され、制御ユニット１２０に転送される。次いで、制御ユニット１２０は、機能ユニット１３０が第２機能モードを提供することを禁止するデフォルト状態から第２機能モードの提供を可能にする第１状態に切り替わる（処理５０２）。
【００３６】
ユーザは、ここで、個人衛生装置１００を（例えば、オン／オフスイッチ１５０を使用して）スイッチオンしてモードスイッチ１５１を介して第２機能モードを選択することができる。追加的及び／又は代替的に、別個の制御装置２００は、個人衛生装置がスイッチオンされたと判定したときに第１条件Ｃ１が満たされたとみなすように構成されてもよく、個人衛生装置２００のスイッチオンは、例えば、個人衛生装置２００の機能ユニット１３０の典型的な開始音を識別することができる音声認識装置によって検出され得る。別個の制御装置２００が、第１条件Ｃ１が満たされた（及び別個の制御装置２００が第１制御モードにある）とみなすと、別個の制御装置２００は第２信号Ｓ２をその送信機ユニット２１０を介して個人衛生装置１００に送信する（図２の処理６０４）。第２信号Ｓ２が個人衛生装置１００の受信機ユニット１１０によって受信されると、制御ユニット１２０は、第２信号Ｓ２によって定義される利用可能な機能モードの１つに機能ユニット１３０を不変に駆動するようにトリガされ得る。例えば、アップグレードが特定の処置に関係する場合、良好な処置結果を達成するために機能モードの所定のシーケンスを使用することができる。特定のシーケンスの第２信号を送信するために、別個の制御装置２００は、第１条件Ｃ１が満たされるたびに（例えば、個人衛生装置がスイッチオンされるたびに）連続するメンバが第２信号として送信される記憶ユニット２３０に記憶された第１信号シーケンスを有してもよい。
【００３７】
別個の制御装置２００によって認識される代わりに、スイッチオン動作は、個人衛生装置１００によって送信機ユニット１１１を介して別個の制御装置２００の受信機ユニット２１１に伝達されてもよい。したがって、個人衛生装置１００は、第２条件Ｃ２が満たされたときに第３信号Ｓ３を送信することができる（処理５０３）。第２条件Ｃ２は、個人衛生装置１００が移動される（例えば、浴室内のシンクから取り出される）ときに満たされ得る。個人衛生装置１００は、動きセンサ（例えば、加速度計）を備えることができ、それを介して個人衛生装置１００が移動されていることが感知され、第３信号Ｓ３が送信されるようにトリガする。又は、個人衛生装置１００がスイッチオンされる（次いで第３信号が送信されるようにトリガする）と、第２条件Ｃ２が満たされたとみなされる。
【００３８】
いくつかの実施形態では、別個の制御装置２００によって個人衛生装置１００に送信される第２信号Ｓ２は、処置時間ΔＴ（処理５０４〜５０５及び６０４〜６０５）にわたる持続時間を有する。第２信号Ｓ２は、第２機能モードを提供するように機能ユニット１３０を制御するために制御ユニット１２０によって直接使用される情報を含むことができる（例えば、上記情報は、パルス幅変調値（例えば、電圧、周波数及びデューティサイクル）などの駆動情報であってもよく、それらは制御ユニットが本質的に実時間で駆動ユニットにそれぞれの駆動信号を提供することを可能にする。
【００３９】
第２信号（又は第１信号）は、個人衛生装置に設けられたディスプレイ１６０又は別個の制御装置２００に設けられたディスプレイ２２４に表示するための情報を含むことができる。
【００４０】
本明細書に開示した寸法及び値は、記載された正確な数値に厳密に限定されるものと理解されるべきではない。むしろ、特に断らない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【図１】
2018527045.tif 000003
【図２】
2018527045.tif 000004
【国際調査報告】
2018527045.tif 000005
2018527045.tif 000006